(57)【要約】【課題】原水を上向流通水する運転を中断し、その後運転を再開する運転方式を行う再生型イオン交換装置の運転方法において、再生型イオン交換装置に特段の手段を設置する必要もなく、操作が簡易で、時間も掛からず、経済的な再生型イオン交換装置の運転方法を提供する。【解決手段】容器１内にイオン交換樹脂４を収容した再生型イオン交換装置の運転方法であって、該再生型イオン交換装置に原水を上向流にて通水する原水通水工程と、該再生型イオン交換装置への原水通水を停止した通水停止工程とを有する再生型イオン交換装置の運転方法において、該原水通水工程の終了後、通水停止工程の前に、該容器にイオン交換樹脂４を下方に押して移動させるための付勢水を下向流通水する付勢水通水工程を有する。【選択図】図１
2014213263.tif 000002
【特許請求の範囲】
【請求項１】
容器内にイオン交換樹脂を収容した再生型イオン交換装置の運転方法であって、
該再生型イオン交換装置に原水を上向流にて通水する原水通水工程と、
該再生型イオン交換装置への原水通水を停止した通水停止工程と
を有する再生型イオン交換装置の運転方法において、
該原水通水工程の終了後、通水停止工程の前に、該容器にイオン交換樹脂層を下方に押して移動させるための付勢水を下向流通水する付勢水通水工程を有することを特徴とする再生型イオン交換装置の運転方法。
【請求項２】
請求項１において、前記付勢水として前記再生型イオン交換装置から得られた脱イオン水を用いることを特徴とする再生型イオン交換装置の運転方法。
【請求項３】
請求項１又は２において、前記再生型イオン交換装置のフリーボード部の高さが１０〜２００ｍｍであることを特徴とする再生型イオン交換装置の運転方法。
【請求項４】
請求項１ないし３のいずれか１項において、前記付勢水の通水時のＬＶが２０〜１５０ｍ／ｈであることを特徴とする再生型イオン交換装置の運転方法。
【請求項５】
請求項１ないし４のいずれか１項において、前記付勢水を１０〜６０ｓｅｃの間通水することを特徴とする再生型イオン交換装置の運転方法。
【発明の詳細な説明】
【技術分野】
【０００１】
本発明は、容器内にイオン交換樹脂を収容してなる再生型イオン交換装置の運転方法に係り、特に採水時に原水を上向流にて通水する再生型イオン交換装置の運転方法に関する。詳しくは、本発明は、この再生型イオン交換装置の採水を停止する際の工程の改良に関する。
【背景技術】
【０００２】
容器内にイオン交換樹脂を収容した再生型イオン交換装置に原水を通水して処理水を得る再生型イオン交換装置の運転方法として、原水を上向流にて通水する上向流通水方式がある。
【０００３】
図２（ａ）はこの再生型イオン交換装置の構成を示す概略的な縦断面図であり、円筒状の容器１が筒軸心方向を上下方向（特に鉛直方向）として設置されている。この容器１内の上部と下部にそれぞれ目皿状のフィルタ２，３が設けられており、該フィルタ２，３間にイオン交換樹脂４が収容されている。イオン交換樹脂４はその使用によって樹脂自体が膨潤し、その体積が増加するため、通常、この体積の増加を見越して、前記容器１内の上部に所定高さの空間（フリーボード部Ｆ）を残した状態で容器１内に収容されている。
【０００４】
このイオン交換樹脂の原水供給口５から原水を上向流にて通水すると、イオン交換樹脂４はこの水圧によって押し上げられ、図２（ｂ）のように上側のフィルタ２に押し付けられた固定床状態となり、この状態で採水が行われる。処理水は、容器頂部の流出口６から流出する。容器１内への原水の通水を停止すると、イオン交換樹脂４を押し上げる力が消失するので、前記固定床を形成していたイオン交換樹脂４は、容器１内において下側フィルタ３側へ沈降落下し、通水前の収容状態、すなわち図２（ａ）の状態に復帰する。
【０００５】
このようにイオン交換樹脂４が容器１内で沈降落下する場合、図２（ｃ）のようにイオン交換樹脂の崩落部４ａが形成される。この崩落部４ａが徐々に上方に移動し、遂には最上部のイオン交換樹脂４にまで達してイオン交換樹脂４の落下が終了し、図２（ａ）の状態に復帰する。このイオン交換樹脂の崩落部４ａにおいては、イオン交換樹脂粒子が混ざり合いながら落下する。そのため、イオン交換樹脂４の充填層の下位側に位置していたイオン交換樹脂は破過（ブレーク）しているが、上位側に位置していたイオン交換樹脂はまだ破過していない運転中途状態で採水を停止した場合（原水通水を停止した場合）には、下位側の破過した樹脂と上位側の未破過樹脂とが混ざり合ってしまい、次回の採水運転再開時に処理水質が悪化することがあった。
【０００６】
そのため、上向流採水、下向流再生（向流再生方式）で運転する再生型イオン交換装置は、一度上向流通水により採水を開始すると、採水完了（次の再生）まで連続通水し続けなければならなかった。
【０００７】
このため、純水および超純水の使用量が低下した場合など、再生型イオン交換装置を一旦停止した方が良い場合でも、循環運転を行い連続して運転し続けるか、もしくは薬品再生を行う必要があったため、多くの時間とコストが掛かっていた。
【０００８】
特開昭５１−７７５８３号公報の第２頁右上欄に記載されるように、上向流で通液する際のイオン交換樹脂の流動化を抑制する手段としては、上向流での通水と同時に、樹脂床上方から圧力水（バランス水・下向流）を導入して樹脂床が舞い上がるのを防ぐ方法が知られている。しかし、この方法では、上向流での通水と同時に、樹脂床上方から圧力水を導入するため、各流量や圧力の調整が複雑となる。また、この方法は、通水停止時の自然沈降による樹脂層の乱れを抑制するものではない。
【０００９】
特開２００３−２２０３８７号公報の００３４、００３５段落には、移動調整手段を設けることにより、通水終了時のイオン交換樹脂が前記樹脂筒の下部へ向かって落下する速度を減少させることで、上記のような課題に対処することが記載されている。しかし、このような移動調整手段を設ける態様であると、別途該手段を用意・設置しておく必要があり、大型装置では特に塔内部構造が複雑化し、コストアップ要因となる。
【先行技術文献】
【特許文献】
【００１０】
【特許文献１】特開昭５１−７７５８３号公報
【特許文献２】特開２００３−２２０３８７号公報
【発明の概要】
【発明が解決しようとする課題】
【００１１】
上記の通り、上向流で通水して採水する再生型イオン交換装置は、採水途中で一旦停止してしまうと、再度採水を開始した時に停止前の水質を必ずしも維持できない問題（固定床が落下する際に、該樹脂層が乱れる）があるため、採水途中に一旦停止したい場合でも運転し続けなければならなかった。
【００１２】
本発明は、原水を上向流通水して採水する方法であって、採水運転を中断し、その後採水運転を再開する運転方式を行う再生型イオン交換装置の運転方法において、再生型イオン交換装置に特段の手段を設置する必要もなく、操作が簡易で、時間も掛からず、経済的な再生型イオン交換装置の運転方法を提供することを目的とする。
【課題を解決するための手段】
【００１３】
本発明の再生型イオン交換装置の運転方法は、容器内にイオン交換樹脂を収容した再生型イオン交換装置の運転方法であって、該再生型イオン交換装置に原水を上向流にて通水する原水通水工程と、該再生型イオン交換装置への原水通水を停止した通水停止工程とを有する再生型イオン交換装置の運転方法において、該原水通水工程の終了後、通水停止工程の前に、該容器にイオン交換樹脂層を下方に押して移動させるための付勢水を下向流通水する付勢水通水工程を有することを特徴とする。
【００１４】
付勢水としては、この再生型イオン交換装置から得られた脱イオン水を用いるのが好ましい。
【００１５】
前記再生型イオン交換装置のフリーボード部の高さは、１０〜２００ｍｍが好ましい。
【００１６】
前記付勢水の通水時のＬＶは２０〜１５０ｍ／ｈが好ましい。また、付勢水を１０〜６０ｓｅｃの間通水することが好ましい。
【発明の効果】
【００１７】
本発明は、上向流運転により採水を行う再生型イオン交換装置において、採水途中で採水停止を行う場合や採水完了時など原水通水停止を行う場合には、通水停止直後に、イオン交換樹脂層を下方に押圧するための付勢水を下向流にて通水する。このように付勢水を通水することにより、装置内部のイオン交換樹脂層が乱れずに容器内を下方に移動するようになり、イオン交換樹脂が固定床を維持できる。このため、再採水（再立上げ）後も、停止前と同等水質が確保でき、安定運転が可能となる。また、イオン交換樹脂の薬品再生を行う場合においても、高効率にて再生を行うことができ、薬品量の削減が可能となる。
【図面の簡単な説明】
【００１８】
【図１】本発明方法の説明図である。
【図２】従来例の説明図である。
【図３】一塔複床式再生型イオン交換装置の断面図である。
【図４】一塔複床式再生型イオン交換装置の断面図である。
【図５】一塔複床式再生型イオン交換装置の断面図である。
【発明を実施するための形態】
【００１９】
以下、本発明についてさらに詳細に説明する。本発明は、図１のように、容器１内のフィルタ２，３間にイオン交換樹脂４を収容してなる再生型イオン交換装置において、図１（ａ）のように原水を上向流にて通水して採水を行う。原水の上向流通水を停止する場合、この上向流通水停止直後に図１（ｂ）のように付勢水を容器１内に下向流にて通水し、イオン交換樹脂４の層（固定床状態となっている）を全体として一体に下方に移動させ、図１（ｃ）のように、イオン交換樹脂４の層を固定床状態を維持したまま下側のフィルタ３に当接させる。このイオン交換樹脂４の層が下方に移動している間に、イオン交換樹脂４の層に前記図２（ｂ）のような崩落部４ａは形成されず、イオン交換樹脂粒子の混合は生じない。従って、再生型イオン交換装置への原水の上向流通水を再開した場合、再開直後から処理水質が良好なものとなる。
【００２０】
なお、本発明では、図１（ｃ）のようにイオン交換樹脂４の層の下方移動終了後、イオン交換樹脂の再生を行ってもよく、イオン交換樹脂に十分なイオン交換容量が残っていれば、再生を行うことなく原水通水を再開すればよい。
【００２１】
本発明では、フリーボード部Ｆの高さｈ（図２（ａ））が過度に大きいと、イオン交換樹脂層が乱れやすくなる。また、イオン交換樹脂の沈降性は比重によって異なるので、比重を考慮してフリーボード部Ｆの高さｈを設定することが好ましい。たとえば、陰イオン交換樹脂の比重は通常１．０〜１．２の範囲にあるため、フリーボード部の高さｈは１０〜２００ｍｍであり、好ましくは１０〜１００ｍｍである。また、陽イオン交換樹脂の比重は通常１．２〜１．７の範囲にあるため、フリーボード部の高さｈは１０〜２００ｍｍであり、好ましくは１０〜５０ｍｍである。陽イオン交換樹脂の方が陰イオン交換樹脂よりも重く沈降しやすいため、フリーボード部を広く取りすぎると沈降時に混合し易くなる。そのため、陰イオン交換樹脂を充填した場合に比較して、陽イオン交換樹脂を充填した場合には、フリーボード部の高さを小さくすることがより好ましい。
【００２２】
フリーボード部の高さｈを決定する際に、イオン交換樹脂層の高さを考慮することはより好ましい態様である。イオン交換樹脂層の場合、樹脂層の高さは通常５００〜２０００ｍｍの範囲であり、フリーボード部の高さｈ／イオン交換樹脂層の高さの比は、１：５０〜１：２．５の範囲であり、好ましくは１：２０〜１：１０である。
【００２３】
付勢水を下向流通水する場合のＬＶは、小さすぎるとイオン交換樹脂層を一体移動させることができなくなるため、２０ｍ／ｈ以上であることが好ましい。また、このＬＶが過大であると、イオン交換樹脂層の上面付近のイオン交換樹脂が乱れるので、このＬＶは１５０ｍ／ｈ以下であることが好ましい。従って、ＬＶは２０〜１５０ｍ／ｈが好ましく、３０〜６０ｍ／ｈが特に好ましい。
【００２４】
付勢水の下向流通水は、原水の上向流通水停止後、直ちに通水開始するのが好ましく、具体的には、原水の上向流通水停止後、直ちに特に１ｓｅｃ以内に付勢水の下向流通水を開始するのが好ましい。付勢水の通水継続時間は１０〜６０ｓｅｃ程度が好ましい。
【００２５】
再生型イオン交換装置は、一塔複床式、多塔複床式、多塔単床式、単床式などのいずれでもよい。一塔複床式であれば、たとえば、図３，４に示したような構造のものを使用することができる。
【００２６】
図３〜５は一塔２床式再生型イオン交換装置の縦断面図であり、図３は採水時、図４は再生時、図５は付勢水通水時を示している。この再生型イオン交換装置４０は、塔体４１内の上室２０にアニオン（陰イオン）交換樹脂２１を充填し、下室３０にカチオン（陽イオン）交換樹脂３１を充填して一塔内に２床を形成したものである。
【００２７】
再生型イオン交換装置４０の塔体４１は筒軸心方向を鉛直方向とした円筒部４１ａと、頂部の鏡板部４１ｂと、底部の鏡板部４１ｃとによって外殻が構成されている。鏡板部４１ｂは上に凸に湾曲し、鏡板部４１ｃは下に凸に湾曲している。
【００２８】
この塔体４１内が遮水性の仕切板４２によって上室２０と下室３０との２室に区画されている。この実施の形態では、仕切板４２は、水を全く通過させない金属又は合成樹脂製のものであり、鏡板部４１ｃと同様に下に凸に湾曲している。仕切板４２の周縁部は、円筒部４１ａの内周面に対し溶接等により水密的に結合されている。
【００２９】
上室２０内の上部に第１の集配水部材４４が配置され、この第１の集配水部材４４に上部給排配管４３が接続されている。上室２０内の下部に第２の集配水部材４６が設置され、この集配水部材４６に第１の連通配管４５が接続されている。下室３０内の上部に第３の集配水部材４９が設置され、この集配水部材４９に第２の連通配管４８が接続されている。連通配管４５，４８は、第３の連通配管５１によって接続され、この連通配管５１に５２が設置されている。
【００３０】
連通配管４５，４８の末端部には、再生液の給排手段としての弁４７，５０が設けられている。下室３０の下部には、第４の集配水部材５４が設置され、この集配水部材５４に下部給排配管５３が設置されている。
【００３１】
上室２０内の大部分にアニオン交換樹脂２１が充填され、このアニオン交換樹脂２１の上側に粒状の不活性樹脂２２が充填されている。第１の集配水部材４４はこの不活性樹脂２２内に埋設されている。
【００３２】
下室３０内の大部分にカチオン交換樹脂３１が充填され、このカチオン交換樹脂３１の上側に粒状の不活性樹脂３２が充填されている。第３の集配水部材４９はこの不活性樹脂３２中に埋設されている。不活性樹脂としては、イオン交換樹脂よりも比重の小さいポリアクリロニトリル系樹脂などが用いられる。不活性樹脂の粒径は、イオン交換樹脂と同程度が好ましい。
【００３３】
集配水部材４４，４６，４９，５４としては、従来のイオン交換装置で使用されている集水板や、放射状に延在させた配管に多数のスリットを設けたストレーナーなどを使用することができる。例えば、イオン交換樹脂の大きさが約０．４ｍｍ程度の場合、ストレーナーとしてスリットの幅が約０．２ｍｍのものを使用するのが好ましい。集配水部材４４，４６，４９，５４は、鏡板部４１ｂ、仕切板４２、鏡板部４１ｃに沿う形状を有しており、鏡板部４１ｂ、仕切板４２、鏡板部４１ｃに沿うデッドスペースが小さいものとなっている。
【００３４】
このイオン交換装置を用いた脱イオン水の生産（採水）時のフローを図３に示す。この場合、弁５２を開、弁４７，５０を閉とし、下部給排配管５３から原水（被処理水）を供給する。この原水は集配水部材５４、カチオン交換樹脂３１、不活性樹脂３２、集配水部材４９、連通配管４８，５２，４５、集配水部材４６、アニオン交換樹脂２１、不活性樹脂２２、集配水部材４４、上部給排配管４３の順に流れ、処理水（脱イオン水）として取り出される。
【００３５】
集配水部材５４，４６から原水が上向流にて流れることにより、カチオン交換樹脂３１及びアニオン交換樹脂２１は浮上し、それぞれ不活性樹脂３２，２２の層の下面に押し付けられる。この採水を停止する場合には、原水通水停止直後に図５のように弁５２を閉、弁４７，５０を開とし、各集配水部材４９，４４から付勢水を下向流にて通水し、付勢排水を集配水部材５４，４６から排出し、カチオン交換樹脂３１及びアニオン交換樹脂２１の層（固定床状態となっている）をそれぞれ全体として一体に下方に移動させ、カチオン交換樹脂３１を鏡板部４１ｃに着底させ、アニオン交換樹脂２１を仕切板４２に着底させる。これにより、カチオン交換樹脂３１と不活性樹脂３２との間及びアニオン交換樹脂２１と不活性樹脂２２との間にそれぞれフリーボードが形成される。なお、カチオン交換樹脂３１及びアニオン交換樹脂２１が下方移動している間、各カチオン交換樹脂３１の層及びアニオン交換樹脂２１の層には前記図２（ｂ）のような崩落部は形成されない。なお、弁５２を開、弁４７，５０を閉とし、集水部材４４から付勢水を下向流にて通水し、下部給排配管５３から排出するように、上室と下室とを一過式に付勢水を通水させるようにしても良い。
【００３６】
カチオン交換樹脂３１及びアニオン交換樹脂２１の再生時には、図４のように弁５２を閉、弁４７，５０を開とし、上部給排配管４３からＮａＯＨなどのアルカリ溶液を供給すると共に、第３の連通配管４８からＨＣｌ、Ｈ２ＳＯ４などの酸溶液を供給する。アルカリ溶液は、集配水部材４４、不活性樹脂２２、アニオン交換樹脂２１、集配水部材４６、連通配管４５、弁４７の順に流れ、再生廃水（アルカリ）として流出し、これによりアニオン交換樹脂２１が再生される。酸溶液は、集配水部材４９、不活性樹脂３２、カチオン交換樹脂３１、集配水部材５４、下部給排配管５３の順に流れ、再生廃水（酸）として流出し、これにより、カチオン交換樹脂３１が再生される。
【００３７】
再生終了後は、図４のＨＣｌ溶液、ＮａＯＨ溶液の代わりに、それぞれ純水を通水し、各経路及び樹脂をリンスした後、必要に応じて純水で上室と下室を個別に下向流洗浄しながら洗浄排水を排出し、その後、純水を上室２０と下室３０との間で所定時間循環させ、次いで、採水工程に復帰する。この再生に際しては、アニオン交換樹脂２１とカチオン交換樹脂３１とが混ざり合うことは全くない。また、再生用のアルカリ溶液が下室３０に流入したり、酸溶液が上室２０に混入することが全くなく、逆再生が完全に防止される。加えて、アニオン交換樹脂２１とカチオン交換樹脂３１とを同時に並行して再生することができ、再生時間が著しく短いものとなる。
【００３８】
このイオン交換装置は、１つの塔体４１内を１枚の仕切板４２によって上下２室に区画したものであり、塔体の高さが低く、設置スペースも小さい。また、上室２０と下室３０とを連通する配管４５，５１，４８が短くてすむ。
【００３９】
このイオン交換装置では集配水部材５４，４６，４９，５４が鏡板部４１ｂ、仕切板４２、鏡板部４１ｃに沿って設けられており、水の局部的な滞留が防止される。
【００４０】
このイオン交換装置では、上室２０及び下室３０の上部に不活性樹脂２２，３２を充填しており、アニオン交換樹脂２１及びカチオン交換樹脂３１の流動が防止され、採水時及び再生時に液が均等にアニオン交換樹脂２１及びカチオン交換樹脂３１と接触するようになっており、高水質の脱イオン水が得られると共に、十分に再生が行われるようになる。
【００４１】
図３〜５では、上室２０にアニオン交換樹脂を収容し、下室３０にカチオン交換樹脂を収容しているが、逆としてもよい。図３〜５では、上室２０と下室３０とが配管４５，５１，４８を介して連通されているが、塔体４１の外部を引き回されている限り、これに限定されない。また、図３〜５では、３個の弁４７，５０，５２を用いているが、２個の三方弁を用いて流路切り替えを行うようにしてもよい。
【００４２】
下向流通水に用いる付勢水は、この再生型イオン交換装置の処理水であってもよく、後段の処理水のいずれかであってもよいが、処理水または、それ相当の純度を有する水を用いるのが好ましい。
【００４３】
付勢水の下向流通水は、前段塔、後段塔それぞれ個別に同時通水（並行通水）するか、もしくは、後段塔内からそのまま前段塔までシリーズで通水する方法のいずれでもよいが、前段塔、後段塔それぞれ個別に並行通水するのが好ましい。
【実施例】
【００４４】
［実施例１］
図３に示す再生型イオン交換装置において、内径６００ｍｍの容器の上段に陰イオン交換樹脂を高さが１０００ｍｍとなるように充填し、下段に陽イオン交換樹脂を高さが５００ｍｍとなるように充填し、一塔複床式の再生型イオン交換装置を構成した。フリーボード部の高さｈは、それぞれ２００ｍｍに設定した。  
強塩基性陰イオン交換樹脂：Ｄｏｗ  ＭＯＮＯＳＰＨＥＲＥ  ５５０Ａ（ＯＨ）比重１．１
強酸性陽イオン交換樹脂：Ｄｏｗ  ＭＯＮＯＳＰＨＥＲＥ  ６５０Ｃ（Ｈ）比重１．４
【００４５】
この再生型イオン交換装置（イオン交換樹脂塔）に比抵抗０．１ＭΩ・ｃｍ（導電率１０μＳ／ｃｍ）の原水を２０ｍ３／ｈにて上向流通水した。通水開始から３時間経過したときに上向流通水を停止し、直ちに付勢水を１０ｍ３／ｈ（ＬＶ＝３５ｍ／ｈ）にて１５ｓｅｃ下向流通水し、その後１時間通水停止状態とした。これを１サイクルとし、複数サイクル繰返した。処理水の比抵抗の経時変化及び採水量を表１に示す。なお、採水量とは、処理水の比抵抗が１８ＭΩ・ｃｍ以下になった時点までの総処理水量である。
【００４６】
［比較例１］
原水通水停止後の付勢水下向流通水を行わなかったこと以外は実施例１と同様にして再生型イオン交換装置の運転を行った。処理水の比抵抗の経時変化及び採水量を表１に示す。
【００４７】
［比較例２］
原水の通水停止を行わず、連続して通水したこと以外は実施例１と同様にして再生型イオン交換装置を運転した。処理水の比抵抗の経時変化及び採水量を表１に示す。
【００４８】
［参考例１］
フリーボード部の高さｈを３００ｍｍとしたこと以外は実施例１と同様にして再生型イオン交換装置を運転した。処理水の比抵抗の経時変化及び採水量を表１に示す。
【００４９】
【表１】
2014213263.tif 000003
【００５０】
表１の通り、実施例１によると、原水の通水を繰り返し中断したにもかかわらず、採水量が多い。実施例１の採水量は、連続運転した比較例２と同量であり、イオン交換樹脂の交換容量を十分に利用できることが認められた。
【００５１】
参考例１は実施例１よりも採水量が少ない。比較例１はそれよりもさらに採水量が少ない。
【００５２】
以上の実施例からも明らかな通り、本発明によれば、採水途中に原水通水停止を繰り返し行った場合でも、連続通水した場合と同等の採水量を確保することができる。
【符号の説明】
【００５３】
１  容器
２，３  フィルタ
４  イオン交換樹脂
２１  カチオン交換樹脂
２２，３２  不活性樹脂
３１  アニオン交換樹脂
４１  塔体
４１ｂ，４１ｃ  鏡板
４２  仕切板
４３  上部給排配管
４４，４６，４９，５４  集配水部材
４５，４８，５１  連通配管
５３  下部給排配管
【図１】
2014213263.tif 000004
【図２】
2014213263.tif 000005
【図３】
2014213263.tif 000006
【図４】
2014213263.tif 000007
【図５】
2014213263.tif 000008